(57)【要約】　　　（修正有）【課題】リアルタイムで様々な映像を縦長ディスプレイにポスター広告として表示する広告方法を提供する。【解決手段】映像装置１からリアルタイムで出力される飛び越し走査方式の映像信号を入力する入力部２と、この入力部２からリアルタイムで入力される前記飛び越し走査方式の映像信号を９０度（２７０度を含む）回転させた映像信号を、順次走査方式の映像信号に変換する走査方式変換部３と、このリアルタイムで順次走査方式に変換された映像信号を９０度回転させる９０度画像回転処理部４と、この９０度回転させた順次走査方式の映像信号をリアルタイムで出力する出力部５とから成り、９０度回転させた順次走査方式の映像信号と、コンピュータにより作成した順次走査方式の映像信号等の余白表示データとを合成する画像合成部９を備え、この画像合成部９からリアルタイムで表示する映像信号を含んだ合成データ信号を前記出力部５から出力するように構成した表示装置。【選択図】　　　　図１
2004061562.tif 000002
【特許請求の範囲】
【請求項１】
ＴＶ受像器，ＶＴＲ，ＤＶＤ，カメラ等の映像装置からリアルタイムで出力される飛び越し走査方式の映像信号を入力する入力部と、この入力部からリアルタイムで入力される前記飛び越し走査方式の映像信号若しくはこの映像信号による画像を９０度（２７０度を含む）回転させた映像信号を、順次走査方式の映像信号に変換する走査方式変換部と、このリアルタイムで順次走査方式に変換された映像信号若しくは前記入力部からリアルタイムで入力される前記飛び越し走査方式の映像信号の画像を９０度（２７０度を含む）回転させる９０度画像回転処理部と、この９０度回転させた順次走査方式の映像信号をリアルタイムで出力する出力部とから成り、前記走査方式変換部及び前記画像回転処理部により９０度回転させた順次走査方式の映像信号と、コンピュータにより作成した順次走査方式の映像信号、画像データ、文字データ等の余白表示データとを合成する画像合成部を備え、この画像合成部からリアルタイムで表示する映像信号を含んだ合成データ信号を前記出力部から出力するように構成し、横長ディスプレイを９０度回転させて縦長に設置した縦長ディスプレイに前記出力部から出力される９０度回転させた映像信号を含む前記合成データ信号を入力して、前記映像装置の映像をリアルタイムで前記縦長ディスプレイに表示し得るように構成したことを特徴とする表示装置。
【請求項２】
前記入力部に入力される前記映像装置からの飛び越し走査信号を量子化する量子化部を備え、この量子化された映像信号を順次走査方式に変換若しくは９０度回転させた後順次走査方式に変換するように前記走査方式変換部を構成し、前記９０度画像回転処理部からの映像信号若しくは前記走査方式変換部からの映像信号をアナログ信号化する若しくは前記画像合成部からの合成データ信号をアナログ信号化するアナログ信号化部を備え、この９０度回転させた順次走査方式の映像信号若しくは合成データ信号をアナログ信号化した映像信号が前記出力部から出力されるように構成したことを特徴とする請求項１記載の表示装置。
【請求項３】
前記走査方式変換部により順次走査方式の変換した映像信号若しくは前記入力部からリアルタイムで入力される前記飛び越し走査方式の映像信号を画像メモリに書き込み、この書き込んだ画像データを、９０度（２７０度を含む）回転したアドレスで読み出すことによって、この画像を９０度回転させ、リアルタイムで前記画像合成部を経て前記縦長ディスプレイに送出表示し得るように前記９０度回転処理部を構成したことを特徴とする請求項１，２のいずれか１項に記載の表示装置。
【請求項４】
ＴＶ受像器，ＶＴＲ，ＤＶＤ，カメラ等の映像装置からリアルタイムで出力される映像信号による画像を９０度（２７０度を含む）回転させた順次走査方式の映像信号と、コンピュータにより作成した順次走査方式の映像信号、画像データ、文字データ等の余白表示データとを合成した合成データ信号を出力する表示装置を用い、この表示装置からリアルタイムで出力される９０度回転した映像信号を含む合成データ信号を、プラズマディスプレイや液晶ディスプレイなどの壁掛け可能な薄型の横長カラーディスプレイを９０度回転させて縦長に設置する薄型縦長カラーディスプレイに、リアルタイムで送出表示して、映像装置からの映像がリアルタイムで表示される前記薄型縦長カラーディスプレイによってポスター広告を行うことを特徴とする表示装置を用いた広告方法。
【請求項５】
前記表示装置を前記請求項１〜３のいずれか１項に記載の表示装置とし、前記映像装置からの映像がリアルタイムで表示される前記薄型縦長カラーディスプレイによってポスター広告を行うことを特徴とする請求項４記載の表示装置。
【発明の詳細な説明】
【０００１】
【発明の属する技術分野】
本発明は、横長のディスプレイを縦に向きを変えて縦長ディスプレイとし、この縦長ディスプレイにリアルタイムで映像装置からの映像を表示する表示装置並びに表示装置を用いた広告方法に関するものである。
【０００２】
【従来の技術及び発明が解決しようとする課題】
ＴＶ受像器，ＶＴＲ，ＤＶＤ，カメラ等の映像装置の技術革新は目覚しく、またこれに伴うディスプレイの技術革新も目覚しく日々進歩を遂げている。
【０００３】
特に近年プラズマディスプレイの開発・実用化によって、大型にして薄型なディスプレイに鮮明な映像を映し出すことが可能となり、まだまだ高価ではあるものの、画像表示技術は飛躍的進歩を遂げるに至っている。
【０００４】
このようなプラズマディスプレイを例えば壁に掛けたり、埋め込んだりして、スペースをとることなく大画面の迫力ある映像を鮮やかに映し出すことは可能となったが、広告手段としてはまだ今一歩その成果を挙げるに至っていない。
【０００５】
即ち、文字放送や文字データとの合成により映像画面に文字を重ねたり、映像画面の脇に文字テロップを表示したりして、鮮明に動画コマーシャルを写し出しながら広告文を表示させることは既に試みられているが、広告効果はなかなか挙がっていない。
【０００６】
従って、家庭のみならず、店舗や駅・空港・街角など公衆の集まるところに例え大型のプラズマディスプレイを設置して鮮やかな広告画像を写し出しても、美しい大型画面故にこの画像を一時注目させることはできても、広告内容に興味を惹かせる程まで注目させるには至っていない。
【０００７】
このような現状に着目し、検討・研究を重ねた結果、横長ディスプレイに表示していることがその大きな原因であることを出願人は見出したのである。
【０００８】
即ち、これまでの画像表示技術は、映画のような横長画面が人間の視野に近いとし、できる限り写真のようにきれいな鮮明画像を実現すると共にワイドな横長画像の表示手法に力を注いできている結果、今日のほとんどの最新ディスプレイは横長ディスプレイとなっている。
【０００９】
従って、高価ではあるが、大型・薄型であって鮮明に迫力ある画像を提供できるプラズマディスプレイも、横長ディスプレイがほとんど全てであると言っても過言ではない。
【００１０】
しかし、この横長ディスプレイを用いて広告しても、確かにきれいではあっても広告効果は挙がらない。
【００１１】
つまり、見る者にとってはこれまでの通常観念（潜在意識）からよほど興味深い広告でない限り、広告画像が横長ディスプレイに映し出されていれば、それは、単なるテレビ放送か、ＶＴＲが流されているという意識しか生じず、注目することはなく、仮に特別なコマーシャル映像が映し出されていても、単なるテレビコマーシャルが流れているという意識に留まり、テレビ放送（テレビコマーシャル）以上の広告効果は生じないのである。
【００１２】
そこで、最新画像表示技術の粋たるプラズマディスプレイを用いてもこのような原因で広告効果が期待できないという問題点を見出した出願人は、横長ディスプレイをあえて向きを変えて縦長にし、この向き変えによる縦長ディスプレイに広告を映し出すことを考えた。
【００１３】
この縦長ディスプレイに広告を映し出す広告手法は予想以上に絶大な広告効果があることがわかり、出願人自らその効果に驚いているのが現状である。
【００１４】
即ち、いわゆるポスター広告効果が発揮され、ポスター広告の広告能力がいかに絶大かが改めて認識されることになったのである。
【００１５】
現在の広告ポスターのほとんどは縦長であり、その潜在意識のために縦長の広告画像は、一目で目に飛び込み、広告だと認識でき、非常に注目されるのである。
【００１６】
従って、縦長に広告を表示すると、それが動画であっても、単なるテレビ放送やテレビコマーシャルではなく、広告映像が映し出されている広告ポスターとして目に飛び込み、脳に焼き付けられる程注目させられ、画像の美しさと動画のアピールとによって、広告情報が瞬時に伝わるのである。
【００１７】
このポスター広告を薄型プラズマディスプレイで行えれば、その薄型故の機動性と鮮明な美しさによって更に広告効果は絶大となるのである。
【００１８】
しかし、既にこのポスター広告効果に着目し、横長ディスプレイを縦にした縦長ディスプレイにパソコンで生成した編集広告画像を映し出したり、また動画も合成して映し出すために、ＤＶＤやＶＴＲの映像信号をパソコンに一旦取り込み、パソコンソフトによって画像を９０度回転させて、たとえ横長を縦にした縦長ディスプレイに表示しても画像もこの９０度回転処理によって横長ディスプレイに映し出すのと同じように正しい向きに表示できる広告手段も既に実用化されつつある。
【００１９】
しかしながら、このパソコンに一旦取り込んでパソコンによって９０度画像を回転して表示する方式では、リアルタイムに様々な映像を縦長ディスプレイに表示し、適宜映像を選択・切り替え表示することは出来ない。
【００２０】
つまり、パソコンによる９０度回転変換ソフトを用いて回転加工し、これを編集して縦長ディスプレイに表示する方式は、結果として動画を横長ディスプレイを縦にした縦長ディスプレイに、ポスター広告のように表示できることにはなるが、常に事前に取り込み加工しなければならず、時間と手間を要する（しかも、時間や手間を要するだけでなく、このパソコンによる加工によってせっかくの画像の鮮明度は著しく劣化してしまう。）。
【００２１】
従って、従来、横長ディスプレイの向きを変えて縦長のディスプレイとし、この縦長ディスプレイに映像を映し出すにはソフトによる事前加工を必要とするために、リアルタイムで映像をポスター広告表示できないのである。
【００２２】
即ち、リアルタイムで映し出すことができないため、この映像を別の映像に切り替える、例えば、ＤＶＤプレイヤーやＶＴＲプレイヤーの画像を再生表示する場合に、ＤＶＤソフトやビデオテープを取り替えるだけで映像を他の映像に変えたり、ＴＶ放送に変えたり、放送チャンネルを変えたり、あるいは現在のある場所のカメラ映像に切り替えたりすることは不可能であり、このような切り替えをその場で自由に行え、その映像をリアルタイムで表示し続けることはできないのである。
【００２３】
一方、そもそも縦長の映像ソースを多数入手すれば良いことになるが、このような映像はほとんど現存していなく、また、撮影カメラを縦にして映像を作ることも可能であるが、これもコストがかかり、容易ではない。
【００２４】
これに対し、ほとんどの放送映像も、ＤＶＤやＶＴＲの既存ソフトも横長ディスプレイ用の映像である。
【００２５】
また、一方そもそも縦長ディスプレイが開発量産されれば良いわけであるが、現在の映像ソースのほとんどが横長であり、あえて画像の上部や下部に画面余白スペースが大きく生じてしまうことになる縦長ディスプレイの量産化は期待できようもないし、特注すれば、特に品薄なプラズマディスプレイにおいては、一層高価とならざるを得ない。
【００２６】
本発明は、このような現状に鑑み、既存の横長ディスプレイ、例えば、大型・薄型にして鮮明に映像を映し出す横長のプラズマディスプレイを縦に向きに変えて設置することで、縦長ディスプレイを容易に実現でき、この簡易な手法で安手した縦長ディスプレイに映像装置からの映像信号をリアルタイムで９０度画像回転処理して出力し、これを前記縦長ディスプレイにリアルタイムで表示することで、横長画面（横長ディスプレイ）ではどうしても実現することができない広告効果、即ち、縦長表示によるポスター広告効果による絶大な注目効果を発揮する広告媒体を容易に実現でき、しかも、リアルタイムで様々な映像装置からの映像信号を、例えば他の画像データや文字データ等と組み合わせて、横長なものを縦にした縦長ディスプレイ表示できるために、映像信号の切り替え、例えばチャンネル変更や映像装置自体の切り替えや、映像ソフトの取り替えによって、リアルタイムで様々な映像を縦長ディスプレイにポスター広告として表示することが可能となり、ポスター広告による絶大な広告効果を期待できることとなる極めて画期的で実用的な表示装置並びに表示装置を用いた広告方法を提供するものである。
【００２７】
【課題を解決するための手段】
添付図面を参照して本発明の要旨を説明する。
【００２８】
ＴＶ受像器，ＶＴＲ，ＤＶＤ，カメラ等の映像装置１からリアルタイムで出力される飛び越し走査方式の映像信号を入力する入力部２と、この入力部２からリアルタイムで入力される前記飛び越し走査方式の映像信号若しくはこの映像信号による画像を９０度（２７０度を含む）回転させた映像信号を、順次走査方式の映像信号に変換する走査方式変換部３と、このリアルタイムで順次走査方式に変換された映像信号若しくは前記入力部２からリアルタイムで入力される前記飛び越し走査方式の映像信号の画像を９０度（２７０度を含む）回転させる９０度画像回転処理部４と、この９０度回転させた順次走査方式の映像信号をリアルタイムで出力する出力部５とから成り、前記走査方式変換部３及び前記画像回転処理部４により９０度回転させた順次走査方式の映像信号と、コンピュータにより作成した順次走査方式の映像信号、画像データ、文字データ等の余白表示データとを合成する画像合成部９を備え、この画像合成部９からリアルタイムで表示する映像信号を含んだ合成データ信号を前記出力部５から出力するように構成し、横長ディスプレイを９０度回転させて縦長に設置した縦長ディスプレイ６に前記出力部５から出力される９０度回転させた映像信号を含む前記合成データ信号を入力して、前記映像装置１の映像をリアルタイムで前記縦長ディスプレイ６に表示し得るように構成したことを特徴とする表示装置に係るものである。
【００２９】
また、前記入力部２に入力される前記映像装置１からの飛び越し走査信号を量子化する量子化部７を備え、この量子化された映像信号を順次走査方式に変換若しくは９０度回転させた後順次走査方式に変換するように前記走査方式変換部３を構成し、前記９０度画像回転処理部４からの映像信号若しくは前記走査方式変換部３からの映像信号をアナログ信号化する若しくは前記画像合成部９からの合成データ信号をアナログ信号化するアナログ信号化部８を備え、この９０度回転させた順次走査方式の映像信号若しくは合成データ信号をアナログ信号化した映像信号が前記出力部５から出力されるように構成したことを特徴とする請求項１記載の表示装置に係るものである。
【００３０】
また、前記走査方式変換部３により順次走査方式の変換した映像信号若しくは前記入力部２からリアルタイムで入力される前記飛び越し走査方式の映像信号を画像メモリに書き込み、この書き込んだ画像データを、９０度（２７０度を含む）回転したアドレスで読み出すことによって、この画像を９０度回転させ、リアルタイムで前記画像合成部９を経て前記縦長ディスプレイ６に送出表示し得るように前記９０度回転処理部４を構成したことを特徴とする請求項１，２のいずれか１項に記載の表示装置に係るものである。
【００３１】
また、ＴＶ受像器，ＶＴＲ，ＤＶＤ，カメラ等の映像装置１からリアルタイムで出力される映像信号による画像を９０度（２７０度を含む）回転させた順次走査方式の映像信号と、コンピュータにより作成した順次走査方式の映像信号、画像データ、文字データ等の余白表示データとを合成した合成データ信号を出力する表示装置を用い、この表示装置からリアルタイムで出力される９０度回転した映像信号を含む合成データ信号を、プラズマディスプレイや液晶ディスプレイなどの壁掛け可能な薄型の横長カラーディスプレイを９０度回転させて縦長に設置する薄型縦長カラーディスプレイ６に、リアルタイムで送出表示して、映像装置１からの映像がリアルタイムで表示される前記薄型縦長カラーディスプレイ６によってポスター広告を行うことを特徴とする表示装置を用いた広告方法に係るものである。
【００３２】
また、前記表示装置を前記請求項１〜３のいずれか１項に記載の表示装置とし、前記映像装置１からの映像がリアルタイムで表示される前記薄型縦長カラーディスプレイ６によってポスター広告を行うことを特徴とする請求項４記載の表示装置に係るものである。
【００３３】
【発明の実施の形態】
好適と考える本発明の実施の形態（発明をどのように実施するか）を、図面に基づいてその作用効果を示して簡単に説明する。
【００３４】
本発明の表示装置に入力される飛び越し走査方式の映像信号は、順次走査方式の映像信号に変換され、画像が９０度回転し（若しくは画像が９０度回転してから、順次走査方式の映像信号に変換され）、横長ディスプレイを縦長に設置した縦長ディスプレイ６に出力され表示される。
【００３５】
即ち、リアルタイムで映像装置１から出力される飛び越し走査方式の映像信号をこの表示装置によって９０度回転させて縦長ディスプレイ６にリアルタイムで送出し、映し出されることとなる。
【００３６】
従って、例えば既存の横長ディスプレイを単に縦向きにして設置するだけで縦長ディスプレイ６とすることができ、しかも、このようにして向きを変えたディスプレイ６に対してパソコン等のソフトに一旦映像ソースを取り込んで画像回転処理をして編集することなく、単に映像装置１から出力されるリアルタイムの飛び越し走査方式の映像信号を、ハード構成によって、例えば順次走査方式に変換して９０度回転させ出力することで、リアルタイムで縦長ディスプレイ６に送出し正しい画面向きで表示できることになる。
【００３７】
更に本発明ではこの映像に例えばパソコン等による画像データや文字データを合成して送出表示する。
【００３８】
このようにリアルタイムで表示できるため、自由に映像装置の変更やチャンネル変更やＶＴＲやＤＶＤソフトの取り替え変更ができることになり、従って、どのような映像ソースにも簡単に切り替えでき、リアルタイムで様々な映像を横長ディスプレイを縦にした縦長ディスプレイ６に映し出すことができることになる。
【００３９】
そのため、例えば広告用動画をリアルタイムで縦長ディスプレイ６に映し出し、上部や下部の画面余白にはパソコン等で作成した広告画像データや文字データと合成して映し出すことで、リアルタイムの映像を組み入れた縦長広告が実現でき、ポスター広告を鮮明な動画で行うことが出来る。
【００４０】
従って、例えば薄型のプラズマディスプレイを用い、これを縦にして設置することで様々な映像を自由にその場で簡単に切り替えることができるポスター広告を実現でき、このポスター広告によって横長ディスプレイでは決して得ることができない極めて絶大な広告効果を得ることが出来ることとなる。
【００４１】
即ち、本発明は、例えば、大型・薄型にして鮮明に映像を映し出す横長のプラズマディスプレイを縦に向きに変えて設置することで、縦長ディスプレイを容易に実現し、縦長ディスプレイに映像装置１からの映像信号をリアルタイムで９０度画像回転処理して出力し、これを前記縦長ディスプレイにリアルタイムで送出表示することで、横長画面（横長ディスプレイ）ではどうしても実現することができない広告効果、即ち、縦長表示によるポスター広告効果による絶大な注目効果を発揮する広告表示を容易に実現でき、しかも、リアルタイムで様々な映像装置からの映像信号を、他の画像データや文字データ等と組み合わせて横長なものを縦にした縦長ディスプレイ６に送出表示できるために、リアルタイムで様々な映像を縦長ディスプレイ６にポスター広告として表示し、ポスター広告による絶大な広告効果を期待できることとなる。
【００４２】
【実施例】
本発明の具体的な実施例について図面に基づいて説明する。
【００４３】
本実施例の表示装置は、ＴＶ放送やＶＴＲ、カメラ等の飛び越し走査方式の映像信号を順次走査方式に変換し、順次走査方式に変換した映像信号を９０度（２７０度）回転させ、別途に入力する順次走査方式の映像信号の上に、前記回転した映像信号を合成し、出力するもので、別途入力する順次走査信号側の映像は、パソコン等で作成した文字情報等を入力する。
【００４４】
この別途入力する画像のリアルタイム性は重要ではないので、画像の回転は既存のソフトウェアを用いる方法で行う。
【００４５】
また、リアルタイムで入力される飛び越し走査側は、前述のようにハードウェアで画像回転を行い、リアルタイム性を損なわない。
【００４６】
即ち本実施例は、ポスターのような縦長の画面にするために９０度回転させて設置させた映像信号受像機（縦長ディスプレイ６）にＮＴＳＣテレビ映像を映出するために、ＮＴＳＣテレビ映像をリアルタイムに９０度回転させる表示装置であり、従来のようにソフトウェアを用いて画像を回転するのではなく、ハードウェアのみを使用し、リアルタイムに画像の回転を行うもので、例えば入力部２から入力された飛び越し走査方式のアナログ映像信号を、順次走査方式化回路で構成した走査方式変換部３で順次走査方式に変換し、その画像をメモリに書き込み、書き込んだ画像データを、９０度回転したアドレスで読み出すことによって、画像を回転させるように画像回転処理部４を構成し、この順次走査方式の９０度回転させた映像信号を出力部５から縦長ディスプレイ６に出力させるように構成している。
【００４７】
更に具体的に本実施例の表示装置並びにこの表示装置を用いたポスター広告方法について説明する。
【００４８】
本実施例の表示装置では、ＴＶ受像器，ＶＴＲ，ＤＶＤ，カメラ等の映像装置１の出力端子と接続され、この映像装置１からリアルタイムで出力される飛び越し走査方式の映像信号を入力する入力部２と、この入力部２からリアルタイムで入力される前記飛び越し走査方式の映像信号を量子化するデコーダ回路から成る量子化部７と、この量子化した映像信号を順次走査方式の映像信号に変換する順次走査方式化回路から成る走査方式変換部３と、このリアルタイムで順次走査方式に変換された映像信号による画像を９０度（２７０度を含む）回転させる９０度画像回転処理部４と、この９０度回転させた映像信号をアナログ信号化するＤ／Ａコンバータから成る量子化部８と、このアナログ化した順次走査方式のリアルタイムの映像信号と、パソコンで作成した順次走査方式の映像，画像データ，文字データとから成る映像信号とを合成する画像合成部９と、この画像合成部９により合成した映像（画像）信号を出力する出力部５とを設け、この出力部５と横長の映像信号受像機（横長ディスプレイ）を９０度向きを変えて設置する縦長ディスプレイ６の入力端子とを接続し、リアルタイムの映像を含む合成画像を送出表示するように構成している。
【００４９】
即ち、本実施例では、リアルタイムのＮＴＳＣ映像信号を入力部２から取り入れ、ハードウェアのみで順次走査方式に変換し、９０度画像を回転し（９０度画像回転させた後、順次走査方式に変換するように走査方式変換部３と画像回転処理部４との配置を逆にしても良い。）、リアルタイムで縦長ディスプレイ６に送出表示するように構成している。
【００５０】
また、本実施例では、前述のように、前記走査方式変換部３及び画像回転処理部４により９０度回転させた順次走査方式の映像信号と、予めコンピュータにより作成した順次走査方式の映像信号、画像データ、文字データ等の余白表示データとを合成する画像合成部９を備え、この画像合成部９からリアルタイムで表示する映像信号を含んだ合成データ信号を前記出力部５から出力するように構成した。
【００５１】
即ち、この画像回転処理部４により９０度回転させた映像信号のみを出力させるのではなく、パソコンにより順次走査信号で映像信号，画像データ，文字データに合成データを作成し、これを前記リアルタイムで入力されてくる映像信号と画像合成部９で合成し、リアルタイムの映像の余白にも広告情報がパソコンの制御で同時に表示されるように構成している。
【００５２】
このパソコンで出力させる別途の広告情報にも動画を取り込む場合には、ソフトウェアで９０度画像を回転させて取り込んでおいても良いし、イメージデータや文字データを編集したり、時間によって異なるデータが表示されるようにしても良い。
【００５３】
また、アナログ合成を行う場合は、アナログ信号化部８の後に画像合成部９を設けるが、デジタル合成する場合は、別途合成する前記順次走査信号による合成データ信号を量子化部１０で量子化して画像合成部９で画像合成し、この画像合成部９の後にアナログ信号化部８を設け、出力部５から出力されるように構成する。
【００５４】
また、本実施例ではこのような表示装置からリアルタイムで出力される９０度回転した映像信号を、壁掛け可能な薄型の横長カラーディスプレイ（プラズマディスプレイを採用）を９０度回転させて縦長に設置する薄型縦長プラズマディスプレイに、リアルタイムで送出表示して、映像装置１からの映像がリアルタイムで表示される縦長プラズマディスプレイによってポスター広告を行うようにしている。
【００５５】
尚、飛び越し走査方式とは、一つの画像を５２５本の走査線で表示するが秒間６０コマで伝送すると伝送量が多くなってしまうので、２コマで一つの画像を表示する、つまり、最初の一コマ目は１〜５２５の奇数本目を走査し、次の一コマで２〜５２４の偶数本目を走査するため、残像現象により見た目には秒間６０コマの動画を送っているように見え、伝送量は半分で済むという方式である。
【００５６】
順次走査方式とは、飛び越し走査を行わず、順次走査で秒間６０コマ全て伝送するため、伝送量は多いがちらつきが少なくて済むという方式である。
【００５７】
順次走査化回路は、入力された飛び越し走査方式の信号を、順次走査方式に変換するように構成した。
【００５８】
また、画像回転処理部４は、入力された飛び越し走査方式のアナログ映像信号１を量子化して順次走査方式化回路３により順次走査方式に変換し、この順次走査方式に変換された飛び越し走査方式の映像信号を画像データとして保存するメモリと、画像データをメモリの指定のアドレスであるメモリ書き込みアドレスに書き込み、指定のアドレスであるメモリ読み出しアドレスから読み込むためのアドレス発生回路とから成り、メモリから読み込む際に画像データを９０度回転させ、この回転画像出力をリアルタイムにＤ／Ａコンバータ（アナログ信号化部８）を介して縦長ディスプレイ６に表示できるように構成した。
【００５９】
アドレス発生回路は、書き込む際のメモリ書き込みアドレスと、読み込む際の９０度回転させた画像を置くメモリ読み出しアドレスを作成するように構成した。
【００６０】
本実施例は、上述のように構成したから、ソフトウェアを用いておらず、ハードウェアのみで画像を回転させることができるため、オンエア映像やビデオテープなどの一般に流通している映像を加工せずに映像再生機にて再生した映像をリアルタイムに９０度回転することにより横長ディスプレイを縦にして縦長ディスプレイ６に表示可能にするものである。
【００６１】
従って、本実施例では、大型・薄型にして鮮明に映像を映し出す横長のプラズマディスプレイを縦に向きに変えて設置することで、縦長ディスプレイを容易に実現し、縦長ディスプレイに映像装置１から映像信号をリアルタイムで９０度画像回転処理して出力し、これを前記縦長ディスプレイにリアルタイムで表示することで、横長画面（横長ディスプレイ）ではどうしても実現することができない広告効果、即ち、縦長表示によるポスター広告効果による絶大な注目効果を発揮する広告表示を容易に実現でき、しかも、リアルタイムで様々な映像装置からの映像信号を、他の画像データや文字データ等と組み合わせて横長なものを縦にした縦長ディスプレイ６に表示できるために、リアルタイムで様々な映像を縦長ディスプレイ６にポスター広告として表示し、ポスター広告による絶大な広告効果を期待できることとなる。
【００６２】
例えばその一例を説明すれば、旅行代理店の店舗にてポスター広告を行う場合、激安ハワイツアーを広告したいとすれば、ＤＶＤソフトを選らんでＤＶＤ（プレイヤー）によって、ハワイの美しい映像（動画）を、横長のプラズマディスプレイを採用してこれを縦にし立看板のように設置して縦長ディスプレイ６の中央や上部にリアルタイムに映し出し、これとパソコンで合成した旅行会社名広告文や激安の文字やツアー内容、連絡先などの文字データや、ハワイの選別した風景画像やホテルの画像のイメージデータを合成して映し出し、またリアルタイムの映像の他にパソコンによって他の動画も組み入れる場合には、パソコンに取り込んだ映像信号をソフトウェアで９０度回転させて合成し、また場合によってはパソコン操作や画面タッチ操作によってツアー内容が更に変更表示されるように構成することで、素晴らしいポスター広告が行える画期的な画像看板が簡単に実現できる。
【００６３】
しかも、リアルタイムで動画を送出表示していたため、異なるＤＶＤに変更して映し出すこともでき、場合によっては、テレビ受像機につなぎ替え、あるいは予め複数の入力端子の様々な映像装置をつないでおき、入力切替でテレビ放送に切り替えて映し出すこともその店舗での簡単な操作で行えることとなる。
【００６４】
このように様々な広告に利用でき、リアルタイムの映像は利用者の好みに応じて自由にして簡単に映像内容を切り替えでき、従来無理であったオンエアのテレビ放送で縦長ディスプレイ６に映し出し、ポスター広告として使用することも出来る。
【００６５】
このようにＤＶＤ，ＶＴＲ，カメラなどの入力部２を複数用意し、適宜入力切替操作できるようにし、夫々多数のＤＶＤやＶＴＲソフトを用意しておけば、バリエーションも無限大と言える。
【００６６】
また、パソコンによる作成や切替え表示によって他の広告情報も自由に設定表示でき、このパソコンによって、リアルタイムの画像を消したり、拡大・縮小・移動などもできるようにすることも容易であるため、様々な広告内容を様々なリアルタイム映像と組み合わせ、様々な広告看板（ポスター広告）を設定場所や時間、利用客のニーズに応じて自在に変更できることとなる。
【００６７】
【発明の効果】
本発明は上述のように構成したから、大型・薄型にして鮮明に映像を映し出す横長のプラズマディスプレイを縦に向きに変えて設置することで、縦長ディスプレイを容易に実現し、縦長ディスプレイに映像装置から映像信号をリアルタイムで９０度画像回転処理して出力し、これを前記縦長ディスプレイにリアルタイムで表示することで、横長画面（横長ディスプレイ）ではどうしても実現することができない広告効果、即ち、縦長表示によるポスター広告効果による絶大な注目効果を発揮する広告表示を容易に実現でき、しかも、リアルタイムで様々な映像装置からの映像信号を、他の画像データや文字データ等と組み合わせて横長なものを縦にした縦長ディスプレイに表示できるために、リアルタイムで様々な映像を縦長ディスプレイにポスター広告として表示し、ポスター広告による絶大な広告効果を期待できることとなる極めて画期的で実用的な表示装置並びに表示装置を用いた広告方法を提供できることとなる。
【００６８】
また、請求項２，３記載の発明においては、一層本発明を容易に実現できる一層実用性に秀れた表示装置並びに表示装置を用いた広告方法となる。
【図面の簡単な説明】
【図１】本実施例の（アナログ合成の場合の）概略説明ブロック図である。
【図２】本実施例の（デジタル合成の場合の）概略説明ブロック図である。
【図３】本実施例の使用状態を示す説明斜視図である。
【図４】本実施例の使用状態を示す縦長ディスプレイの説明正面図である。
【符号の説明】
１　映像装置
２　入力部
３　走査方式変換部
４　画像回転処理部
５　出力部
６　縦長ディスプレイ
７　量子化部
８　アナログ信号化部
９　画像合成部
【図１】
2004061562.tif 000003
【図２】
2004061562.tif 000004
【図３】
2004061562.tif 000005
【図４】
2004061562.tif 000006
【手続補正書】
【提出日】平成14年7月26日(2002.7.26)
【手続補正１】
【補正対象書類名】明細書
【補正対象項目名】００４８
【補正方法】変更
【補正の内容】
【００４８】
本実施例の表示装置では、ＴＶ受像器，ＶＴＲ，ＤＶＤ，カメラ等の映像装置１の出力端子と接続され、この映像装置１からリアルタイムで出力される飛び越し走査方式の映像信号を入力する入力部２と、この入力部２からリアルタイムで入力される前記飛び越し走査方式の映像信号を量子化するデコーダ回路から成る量子化部７と、この量子化した映像信号を順次走査方式の映像信号に変換する順次走査方式化回路から成る走査方式変換部３と、このリアルタイムで順次走査方式に変換された映像信号による画像を９０度（２７０度を含む）回転させる９０度画像回転処理部４と、この９０度回転させた映像信号をアナログ信号化するＤ／Ａコンバータから成るアナログ信号化部８と、このアナログ化した順次走査方式のリアルタイムの映像信号と、パソコンで作成した順次走査方式の映像，画像データ，文字データとから成る映像信号とを合成する画像合成部９と、この画像合成部９により合成した映像（画像）信号を出力する出力部５とを設け、この出力部５と横長の映像信号受像機（横長ディスプレイ）を９０度向きを変えて設置する縦長ディスプレイ６の入力端子とを接続し、リアルタイムの映像を含む合成画像を送出表示するように構成している。




【手続補正書】
【提出日】平成15年10月14日(2003.10.14)
【手続補正１】
【補正対象書類名】明細書
【補正対象項目名】全文
【補正方法】変更
【補正の内容】
【発明の詳細な説明】
【特許請求の範囲】
【請求項１】ＴＶ受像機，ＶＴＲ，ＤＶＤ，カメラ等の映像装置からリアルタイムで出力される映像信号による映像を９０度（２７０度含む）回転させた順次走査方式の映像信号と、コンピュータにより作成した順次走査方式の映像信号，画像データ，文字データ等の余白表示データとを合成した合成データ信号をアナログ信号として出力するように構成すると共に、前記余白表示データを、前記リアルタイムで出力される映像信号による映像の上方若しくは下方に、このリアルタイムで出力される映像信号による映像と並設状態に表示するように構成し、前記リアルタイムで出力される映像信号として、前記余白表示データの広告と関連する広告用動画を採用した表示装置を用い、この表示装置からリアルタイムで出力される９０度回転した映像信号を含む合成データ信号を、大型・薄型のプラズマディスプレイ若しくは液晶ディスプレイを、そのまま横向きに設置せず向きを９０度回転させてポスターのように縦長画面となるように縦長向きに設置した薄型縦長カラーディスプレイに、リアルタイムでこの薄型縦長ディスプレイの縦長画面全面に送出表示して、映像装置からの映像がリアルタイムで表示される前記薄型縦長カラーディスプレイによって広告を行うことを特徴とする広告方法。
【請求項２】ＴＶ受像機，ＶＴＲ，ＤＶＤ，カメラ等の映像装置の出力端子と接続され、この映像装置からリアルタイムで出力される飛び越し走査方式の映像信号を入力する入力部と、この入力部からリアルタイムで入力される前記飛び越し走査方式の映像信号を量子化するデコーダ回路から成る量子化部と、この量子化した映像信号を順次走査方式の映像信号の映像信号に変換する順次走査方式化回路から成る走査方式変換部と、このリアルタイムで順次走査方式に変換された映像信号による画像を９０度（２７０度含む）回転させる９０度画像回転処理部と、この９０度回転させた映像信号をアナログ信号化するＤ／Ａコンバータから成るアナログ信号化部と、このアナログ化した順次走査方式のリアルタイムの映像信号と、パソコンで作成した順次走査方式の映像，画像データ，文字データとから成る映像信号とを合成する画像合成部と、この画像合成部により合成したアナログ映像信号を出力する出力部とを設け、この出力部と横長ディスプレイを９０度向きを変えて設置する縦長ディスプレイの入力端子とを接続し、リアルタイムの映像を含む合成画像を送出表示し得るように前記表示装置を構成し、この表示装置を用いることを特徴とする請求項１記載の広告方法。
【請求項３】ＴＶ受像機，ＶＴＲ，ＤＶＤ，カメラ等の映像装置の出力端子と接続され、この映像装置からリアルタイムで出力される飛び越し走査方式の映像信号を入力する入力部と、この入力部からリアルタイムで入力される前記飛び越し走査方式の映像信号を量子化するデコーダ回路から成る量子化部と、この量子化した映像信号を順次走査方式の映像信号の映像信号に変換する順次走査方式化回路から成る走査方式変換部と、このリアルタイムで順次走査方式に変換された映像信号による画像を９０度（２７０度含む）回転させる９０度画像回転処理部と、この９０度回転させた映像信号をアナログ信号化するＤ／Ａコンバータから成るアナログ信号化部と、このアナログ化した順次走査方式のリアルタイムの映像信号と、パソコンで作成した順次走査方式の映像，画像データ，文字データとから成る映像信号とを合成する画像合成部と、この画像合成部により合成したアナログ映像信号を出力する出力部とを設け、この出力部と横長ディスプレイを９０度向きを変えて設置する縦長ディスプレイの入力端子とを接続し、リアルタイムの映像を含む合成画像を送出表示し得るように構成したことを特徴とする表示装置。
【発明の詳細な説明】
【０００１】
【発明の属する技術分野】
本発明は、横長のディスプレイを縦に向きを変えて縦長ディスプレイとし、この縦長ディスプレイにリアルタイムで映像装置からの映像を表示する表示装置を用いた広告方法並びにその表示装置に関するものである。
【０００２】
【従来の技術及び発明が解決しようとする課題】
ＴＶ受像器，ＶＴＲ，ＤＶＤ，カメラ等の映像装置の技術革新は目覚しく、またこれに伴うディスプレイの技術革新も目覚しく日々進歩を遂げている。
【０００３】
特に近年プラズマディスプレイの開発・実用化によって、大型にして薄型なディスプレイに鮮明な映像を映し出すことが可能となり、まだまだ高価ではあるものの、画像表示技術は飛躍的進歩を遂げるに至っている。
【０００４】
このようなプラズマディスプレイを例えば壁に掛けたり、埋め込んだりして、スペースをとることなく大画面の迫力ある映像を鮮やかに映し出すことは可能となったが、広告手段としてはまだ今一歩その成果を挙げるに至っていない。
【０００５】
即ち、文字放送や文字データとの合成により映像画面に文字を重ねたり、映像画面の脇に文字テロップを表示したりして、鮮明に動画コマーシャルを写し出しながら広告文を表示させることは既に試みられているが、広告効果はなかなか挙がっていない。
【０００６】
従って、家庭のみならず、店舗や駅・空港・街角など公衆の集まるところに例え大型のプラズマディスプレイを設置して鮮やかな広告画像を写し出しても、美しい大型画面故にこの画像を一時注目させることはできても、広告内容に興味を惹かせる程まで注目させるには至っていない。
【０００７】
このような現状に着目し、検討・研究を重ねた結果、横長ディスプレイに表示していることがその大きな原因であることを出願人は見出したのである。
【０００８】
即ち、これまでの画像表示技術は、映画のような横長画面が人間の視野に近いとし、できる限り写真のようにきれいな鮮明画像を実現すると共にワイドな横長画像の表示手法に力を注いできている結果、今日のほとんどの最新ディスプレイは横長ディスプレイとなっている。
【０００９】
従って、高価ではあるが、大型・薄型であって鮮明に迫力ある画像を提供できるプラズマディスプレイも、横長ディスプレイがほとんど全てであると言っても過言ではない。
【００１０】
しかし、この横長ディスプレイを用いて広告しても、確かにきれいではあっても広告効果は挙がらない。
【００１１】
つまり、見る者にとってはこれまでの通常観念（潜在意識）からよほど興味深い広告でない限り、広告画像が横長ディスプレイに映し出されていれば、それは、単なるテレビ放送か、ＶＴＲが流されているという意識しか生じず、注目することはなく、仮に特別なコマーシャル映像が映し出されていても、単なるテレビコマーシャルが流れているという意識に留まり、テレビ放送（テレビコマーシャル）以上の広告効果は生じないのである。
【００１２】
そこで、最新画像表示技術の粋たるプラズマディスプレイを用いてもこのような原因で広告効果が期待できないという問題点を見出した出願人は、横長ディスプレイをあえて向きを変えて縦長にし、この向き変えによる縦長ディスプレイに広告を映し出すことを考えた。
【００１３】
この縦長ディスプレイに広告を映し出す広告手法は予想以上に絶大な広告効果があることがわかり、出願人自らその効果に驚いているのが現状である。
【００１４】
即ち、いわゆるポスター広告効果が発揮され、ポスター広告の広告能力がいかに絶大かが改めて認識されることになったのである。
【００１５】
現在の広告ポスターのほとんどは縦長であり、その潜在意識のために縦長の広告画像は、一目で目に飛び込み、広告だと認識でき、非常に注目されるのである。
【００１６】
従って、縦長に広告を表示すると、それが動画であっても、単なるテレビ放送やテレビコマーシャルではなく、広告映像が映し出されている広告ポスターとして目に飛び込み、脳に焼き付けられる程注目させられ、画像の美しさと動画のアピールとによって、広告情報が瞬時に伝わるのである。
【００１７】
このポスター広告を薄型プラズマディスプレイで行えれば、その薄型故の機動性と鮮明な美しさによって更に広告効果は絶大となるのである。
【００１８】
しかし、既にこのポスター広告効果に着目し、横長ディスプレイを縦にした縦長ディスプレイにパソコンで生成した編集広告画像を映し出したり、また動画も合成して映し出すために、ＤＶＤやＶＴＲの映像信号をパソコンに一旦取り込み、パソコンソフトによって画像を９０度回転させて、たとえ横長を縦にした縦長ディスプレイに表示しても画像もこの９０度回転処理によって横長ディスプレイに映し出すのと同じように正しい向きに表示できる広告手段も既に実用化されつつある。
【００１９】
しかしながら、このパソコンに一旦取り込んでパソコンによって９０度画像を回転して表示する方式では、リアルタイムに様々な映像を縦長ディスプレイに表示し、適宜映像を選択・切り替え表示することは出来ない。
【００２０】
つまり、パソコンによる９０度回転変換ソフトを用いて回転加工し、これを編集して縦長ディスプレイに表示する方式は、結果として動画を横長ディスプレイを縦にした縦長ディスプレイに、ポスター広告のように表示できることにはなるが、常に事前に取り込み加工しなければならず、時間と手間を要する（しかも、時間や手間を要するだけでなく、このパソコンによる加工によってせっかくの画像の鮮明度は著しく劣化してしまう。）。
【００２１】
従って、従来、横長ディスプレイの向きを変えて縦長のディスプレイとし、この縦長ディスプレイに映像を映し出すにはソフトによる事前加工を必要とするために、リアルタイムで映像をポスター広告表示できないのである。
【００２２】
即ち、リアルタイムで映し出すことができないため、この映像を別の映像に切り替える、例えば、ＤＶＤプレイヤーやＶＴＲプレイヤーの画像を再生表示する場合に、ＤＶＤソフトやビデオテープを取り替えるだけで映像を他の映像に変えたり、ＴＶ放送に変えたり、放送チャンネルを変えたり、あるいは現在のある場所のカメラ映像に切り替えたりすることは不可能であり、このような切り替えをその場で自由に行え、その映像をリアルタイムで表示し続けることはできないのである。
【００２３】
一方、そもそも縦長の映像ソースを多数入手すれば良いことになるが、このような映像はほとんど現存していなく、また、撮影カメラを縦にして映像を作ることも可能であるが、これもコストがかかり、容易ではない。
【００２４】
これに対し、ほとんどの放送映像も、ＤＶＤやＶＴＲの既存ソフトも横長ディスプレイ用の映像である。
【００２５】
また、一方そもそも縦長ディスプレイが開発量産されれば良いわけであるが、現在の映像ソースのほとんどが横長であり、あえて画像の上部や下部に画面余白スペースが大きく生じてしまうことになる縦長ディスプレイの量産化は期待できようもないし、特注すれば、特に品薄なプラズマディスプレイにおいては、一層高価とならざるを得ない。
【００２６】
本発明は、このような現状に鑑み、既存の横長ディスプレイ、例えば、大型・薄型にして鮮明に映像を映し出す横長のプラズマディスプレイを縦に向きに変えて設置することで、縦長ディスプレイを容易に実現でき、この簡易な手法で安手した縦長ディスプレイに映像装置からの映像信号をリアルタイムで９０度画像回転処理して出力し、これを前記縦長ディスプレイにリアルタイムで表示することで、横長画面（横長ディスプレイ）ではどうしても実現することができない広告効果、即ち、縦長表示によるポスター広告効果による絶大な注目効果を発揮する広告媒体を容易に実現でき、しかも、リアルタイムで様々な映像装置からの映像信号を、例えば他の画像データや文字データ等と組み合わせて、横長なものを縦にした縦長ディスプレイ表示できるために、映像信号の切り替え、例えばチャンネル変更や映像装置自体の切り替えや、映像ソフトの取り替えによって、リアルタイムで様々な映像を縦長ディスプレイにポスター広告として表示することが可能となり、ポスター広告による絶大な広告効果を期待できることとなる極めて画期的で実用的な表示装置を用いた広告方法並びにその表示装置を提供するものである。
【００２７】
【課題を解決するための手段】
添付図面を参照して本発明の要旨を説明する。
【００２８】
ＴＶ受像機，ＶＴＲ，ＤＶＤ，カメラ等の映像装置１からリアルタイムで出力される映像信号による映像を９０度（２７０度含む）回転させた順次走査方式の映像信号と、コンピュータにより作成した順次走査方式の映像信号，画像データ，文字データ等の余白表示データとを合成した合成データ信号をアナログ信号として出力するように構成すると共に、前記余白表示データを、前記リアルタイムで出力される映像信号による映像の上方若しくは下方に、このリアルタイムで出力される映像信号による映像と並設状態に表示するように構成し、前記リアルタイムで出力される映像信号として、前記余白表示データの広告と関連する広告用動画を採用した表示装置を用い、この表示装置からリアルタイムで出力される９０度回転した映像信号を含む合成データ信号を、大型・薄型のプラズマディスプレイ若しくは液晶ディスプレイを、そのまま横向きに設置せず向きを９０度回転させてポスターのように縦長画面となるように縦長向きに設置した薄型縦長カラーディスプレイ６に、リアルタイムでこの薄型縦長ディスプレイ６の縦長画面全面に送出表示して、映像装置１からの映像がリアルタイムで表示される前記薄型縦長カラーディスプレイ６によって広告を行うことを特徴とする広告方法に係るものである。
【００２９】
また、ＴＶ受像機，ＶＴＲ，ＤＶＤ，カメラ等の映像装置１の出力端子と接続され、この映像装置１からリアルタイムで出力される飛び越し走査方式の映像信号を入力する入力部２と、この入力部２からリアルタイムで入力される前記飛び越し走査方式の映像信号を量子化するデコーダ回路から成る量子化部７と、この量子化した映像信号を順次走査方式の映像信号の映像信号に変換する順次走査方式化回路から成る走査方式変換部３と、このリアルタイムで順次走査方式に変換された映像信号による画像を９０度（２７０度含む）回転させる９０度画像回転処理部４と、この９０度回転させた映像信号をアナログ信号化するＤ／Ａコンバータから成るアナログ信号化部８と、このアナログ化した順次走査方式のリアルタイムの映像信号と、パソコンで作成した順次走査方式の映像，画像データ，文字データとから成る映像信号とを合成する画像合成部９と、この画像合成部９により合成したアナログ映像信号を出力する出力部５とを設け、この出力部５と横長ディスプレイを９０度向きを変えて設置する縦長ディスプレイ６の入力端子とを接続し、リアルタイムの映像を含む合成画像を送出表示し得るように前記表示装置を構成し、この表示装置を用いることを特徴とする請求項１記載の広告方法に係るものである。
【００３０】
また、ＴＶ受像機，ＶＴＲ，ＤＶＤ，カメラ等の映像装置１の出力端子と接続され、この映像装置１からリアルタイムで出力される飛び越し走査方式の映像信号を入力する入力部２と、この入力部２からリアルタイムで入力される前記飛び越し走査方式の映像信号を量子化するデコーダ回路から成る量子化部７と、この量子化した映像信号を順次走査方式の映像信号の映像信号に変換する順次走査方式化回路から成る走査方式変換部３と、このリアルタイムで順次走査方式に変換された映像信号による画像を９０度（２７０度含む）回転させる９０度画像回転処理部４と、この９０度回転させた映像信号をアナログ信号化するＤ／Ａコンバータから成るアナログ信号化部８と、このアナログ化した順次走査方式のリアルタイムの映像信号と、パソコンで作成した順次走査方式の映像，画像データ，文字データとから成る映像信号とを合成する画像合成部９と、この画像合成部９により合成したアナログ映像信号を出力する出力部５とを設け、この出力部５と横長ディスプレイを９０度向きを変えて設置する縦長ディスプレイ６の入力端子とを接続し、リアルタイムの映像を含む合成画像を送出表示し得るように構成したことを特徴とする表示装置に係るものである。
【００３１】
【発明の実施の形態】
好適と考える本発明の実施の形態（発明をどのように実施するか）を、図面に基づいてその作用効果を示して簡単に説明する。
【００３２】
本発明の表示装置に入力される飛び越し走査方式の映像信号は、順次走査方式の映像信号に変換され、画像が９０度回転し（若しくは画像が９０度回転してから、順次走査方式の映像信号に変換され）、横長ディスプレイを縦長に設置した縦長ディスプレイ６に出力され表示される。
【００３３】
即ち、リアルタイムで映像装置１から出力される飛び越し走査方式の映像信号をこの表示装置によって９０度回転させて縦長ディスプレイ６にリアルタイムで送出し、映し出されることとなる。
【００３４】
従って、例えば既存の横長ディスプレイを単に縦向きにして設置するだけで縦長ディスプレイ６とすることができ、しかも、このようにして向きを変えたディスプレイ６に対してパソコン等のソフトに一旦映像ソースを取り込んで画像回転処理をして編集することなく、単に映像装置１から出力されるリアルタイムの飛び越し走査方式の映像信号を、ハード構成によって、例えば順次走査方式に変換して９０度回転させ出力することで、リアルタイムで縦長ディスプレイ６に送出し正しい画面向きで表示できることになる。
【００３５】
更に本発明ではこの映像に例えばパソコン等による画像データや文字データを合成して送出表示する。
【００３６】
このようにリアルタイムで表示できるため、自由に映像装置の変更やチャンネル変更やＶＴＲやＤＶＤソフトの取り替え変更ができることになり、従って、どのような映像ソースにも簡単に切り替えでき、リアルタイムで様々な映像を横長ディスプレイを縦にした縦長ディスプレイ６に映し出すことができることになる。
【００３７】
そのため、例えば広告用動画をリアルタイムで縦長ディスプレイ６に映し出し、上部や下部の画面余白にはパソコン等で作成した広告画像データや文字データと合成して映し出すことで、リアルタイムの映像を組み入れた縦長広告が実現でき、ポスター広告を鮮明な動画で行うことが出来る。
【００３８】
従って、例えば薄型のプラズマディスプレイを用い、これを縦にして設置することで様々な映像を自由にその場で簡単に切り替えることができるポスター広告を実現でき、このポスター広告によって横長ディスプレイでは決して得ることができない極めて絶大な広告効果を得ることが出来ることとなる。
【００３９】
即ち、本発明は、例えば、大型・薄型にして鮮明に映像を映し出す横長のプラズマディスプレイを縦に向きに変えて設置することで、縦長ディスプレイを容易に実現し、縦長ディスプレイに映像装置１からの映像信号をリアルタイムで９０度画像回転処理して出力し、これを前記縦長ディスプレイにリアルタイムで送出表示することで、横長画面（横長ディスプレイ）ではどうしても実現することができない広告効果、即ち、縦長表示によるポスター広告効果による絶大な注目効果を発揮する広告表示を容易に実現でき、しかも、リアルタイムで様々な映像装置からの映像信号を、他の画像データや文字データ等と組み合わせて横長なものを縦にした縦長ディスプレイ６に送出表示できるために、リアルタイムで様々な映像を縦長ディスプレイ６にポスター広告として表示し、ポスター広告による絶大な広告効果を期待できることとなる。
【００４０】
【実施例】
本発明の具体的な実施例について図面に基づいて説明する。
【００４１】
本実施例の表示装置は、ＴＶ放送やＶＴＲ、カメラ等の飛び越し走査方式の映像信号を順次走査方式に変換し、順次走査方式に変換した映像信号を９０度（２７０度）回転させ、別途に入力する順次走査方式の映像信号の上に、前記回転した映像信号を合成し、出力するもので、別途入力する順次走査信号側の映像は、パソコン等で作成した文字情報等を入力する。
【００４２】
この別途入力する画像のリアルタイム性は重要ではないので、画像の回転は既存のソフトウェアを用いる方法で行う。
【００４３】
また、リアルタイムで入力される飛び越し走査側は、前述のようにハードウェアで画像回転を行い、リアルタイム性を損なわない。
【００４４】
即ち本実施例は、ポスターのような縦長の画面にするために９０度回転させて設置させた映像信号受像機（縦長ディスプレイ６）にＮＴＳＣテレビ映像を映出するために、ＮＴＳＣテレビ映像をリアルタイムに９０度回転させる表示装置であり、従来のようにソフトウェアを用いて画像を回転するのではなく、ハードウェアのみを使用し、リアルタイムに画像の回転を行うもので、例えば入力部２から入力された飛び越し走査方式のアナログ映像信号を、順次走査方式化回路で構成した走査方式変換部３で順次走査方式に変換し、その画像をメモリに書き込み、書き込んだ画像データを、９０度回転したアドレスで読み出すことによって、画像を回転させるように画像回転処理部４を構成し、この順次走査方式の９０度回転させた映像信号を出力部５から縦長ディスプレイ６に出力させるように構成している。
【００４５】
更に具体的に本実施例の表示装置並びにこの表示装置を用いたポスター広告方法について説明する。
【００４６】
本実施例の表示装置では、ＴＶ受像器，ＶＴＲ，ＤＶＤ，カメラ等の映像装置１の出力端子と接続され、この映像装置１からリアルタイムで出力される飛び越し走査方式の映像信号を入力する入力部２と、この入力部２からリアルタイムで入力される前記飛び越し走査方式の映像信号を量子化するデコーダ回路から成る量子化部７と、この量子化した映像信号を順次走査方式の映像信号に変換する順次走査方式化回路から成る走査方式変換部３と、このリアルタイムで順次走査方式に変換された映像信号による画像を９０度（２７０度を含む）回転させる９０度画像回転処理部４と、この９０度回転させた映像信号をアナログ信号化するＤ／Ａコンバータから成るアナログ信号化部８と、このアナログ化した順次走査方式のリアルタイムの映像信号と、パソコンで作成した順次走査方式の映像，画像データ，文字データとから成る映像信号とを合成する画像合成部９と、この画像合成部９により合成したアナログ映像（画像）信号を出力する出力部５とを設け、この出力部５と横長ディスプレイを９０度向きを変えて設置する縦長ディスプレイ６の入力端子とを接続し、リアルタイムの映像を含む合成画像を送出表示するように構成している。
【００４７】
即ち、本実施例では、リアルタイムのＮＴＳＣ映像信号を入力部２から取り入れ、ハードウェアのみで順次走査方式に変換し、９０度画像を回転し（９０度画像回転させた後、順次走査方式に変換するように走査方式変換部３と画像回転処理部４との配置を逆にしても良い。）、リアルタイムで縦長ディスプレイ６に送出表示するように構成している。
【００４８】
また、本実施例では、前述のように、前記走査方式変換部３及び画像回転処理部４により９０度回転させた順次走査方式の映像信号と、予めコンピュータにより作成した順次走査方式の映像信号、画像データ、文字データ等の余白表示データとを合成する画像合成部９を備え、この画像合成部９からリアルタイムで表示する映像信号を含んだ合成データ信号を前記出力部５から出力するように構成した。
【００４９】
即ち、この画像回転処理部４により９０度回転させた映像信号のみを出力させるのではなく、パソコンにより順次走査信号で映像信号，画像データ，文字データに合成データを作成し、これを前記リアルタイムで入力されてくる映像信号と画像合成部９で合成し、リアルタイムの映像の余白にも広告情報がパソコンの制御で同時に表示されるように構成している。
【００５０】
このパソコンで出力させる別途の広告情報にも動画を取り込む場合には、ソフトウェアで９０度画像を回転させて取り込んでおいても良いし、イメージデータや文字データを編集したり、時間によって異なるデータが表示されるようにしても良い。
【００５１】
また、アナログ合成を行う場合は、アナログ信号化部８の後に画像合成部９を設けるが、デジタル合成する場合は、別途合成する前記順次走査信号による合成データ信号を量子化部７で量子化して画像合成部９で画像合成し、この画像合成部９の後にアナログ信号化部８を設け、出力部５から出力されるように構成する。
【００５２】
また、本実施例ではこのような表示装置からリアルタイムで出力される９０度回転した映像信号を、壁掛け可能な薄型の横長カラーディスプレイ（プラズマディスプレイを採用）を９０度回転させて縦長に設置する薄型縦長プラズマディスプレイに、リアルタイムで送出表示して、映像装置１からの映像がリアルタイムで表示される縦長プラズマディスプレイによってポスター広告を行うようにしている。
【００５３】
尚、飛び越し走査方式とは、一つの画像を５２５本の走査線で表示するが秒間６０コマで伝送すると伝送量が多くなってしまうので、２コマで一つの画像を表示する、つまり、最初の一コマ目は１〜５２５の奇数本目を走査し、次の一コマで２〜５２４の偶数本目を走査するため、残像現象により見た目には秒間６０コマの動画を送っているように見え、伝送量は半分で済むという方式である。
【００５４】
順次走査方式とは、飛び越し走査を行わず、順次走査で秒間６０コマ全て伝送するため、伝送量は多いがちらつきが少なくて済むという方式である。
【００５５】
順次走査化回路は、入力された飛び越し走査方式の信号を、順次走査方式に変換するように構成した。
【００５６】
また、画像回転処理部４は、入力された飛び越し走査方式のアナログ映像信号１を量子化して順次走査方式化回路３により順次走査方式に変換し、この順次走査方式に変換された飛び越し走査方式の映像信号を画像データとして保存するメモリと、画像データをメモリの指定のアドレスであるメモリ書き込みアドレスに書き込み、指定のアドレスであるメモリ読み出しアドレスから読み込むためのアドレス発生回路とから成り、メモリから読み込む際に画像データを９０度回転させ、この回転画像出力をリアルタイムにＤ／Ａコンバータ（アナログ信号化部８）を介して縦長ディスプレイ６に表示できるように構成した。
【００５７】
アドレス発生回路は、書き込む際のメモリ書き込みアドレスと、読み込む際の９０度回転させた画像を置くメモリ読み出しアドレスを作成するように構成した。
【００５８】
本実施例は、上述のように構成したから、ソフトウェアを用いておらず、ハードウェアのみで画像を回転させることができるため、オンエア映像やビデオテープなどの一般に流通している映像を加工せずに映像再生機にて再生した映像をリアルタイムに９０度回転することにより横長ディスプレイを縦にして縦長ディスプレイ６に表示可能にするものである。
【００５９】
従って、本実施例では、大型・薄型にして鮮明に映像を映し出す横長のプラズマディスプレイを縦に向きに変えて設置することで、縦長ディスプレイを容易に実現し、縦長ディスプレイに映像装置１から映像信号をリアルタイムで９０度画像回転処理して出力し、これを前記縦長ディスプレイにリアルタイムで表示することで、横長画面（横長ディスプレイ）ではどうしても実現することができない広告効果、即ち、縦長表示によるポスター広告効果による絶大な注目効果を発揮する広告表示を容易に実現でき、しかも、リアルタイムで様々な映像装置からの映像信号を、他の画像データや文字データ等と組み合わせて横長なものを縦にした縦長ディスプレイ６に表示できるために、リアルタイムで様々な映像を縦長ディスプレイ６にポスター広告として表示し、ポスター広告による絶大な広告効果を期待できることとなる。
【００６０】
例えばその一例を説明すれば、旅行代理店の店舗にてポスター広告を行う場合、激安ハワイツアーを広告したいとすれば、ＤＶＤソフトを選らんでＤＶＤ（プレイヤー）によって、ハワイの美しい映像（動画）を、横長のプラズマディスプレイを採用してこれを縦にし立看板のように設置して縦長ディスプレイ６の中央や上部にリアルタイムに映し出し、これとパソコンで合成した旅行会社名広告文や激安の文字やツアー内容、連絡先などの文字データや、ハワイの選別した風景画像やホテルの画像のイメージデータを合成して映し出し、またリアルタイムの映像の他にパソコンによって他の動画も組み入れる場合には、パソコンに取り込んだ映像信号をソフトウェアで９０度回転させて合成し、また場合によってはパソコン操作や画面タッチ操作によってツアー内容が更に変更表示されるように構成することで、素晴らしいポスター広告が行える画期的な画像看板が簡単に実現できる。
【００６１】
しかも、リアルタイムで動画を送出表示していたため、異なるＤＶＤに変更して映し出すこともでき、場合によっては、テレビ受像機につなぎ替え、あるいは予め複数の入力端子の様々な映像装置をつないでおき、入力切替でテレビ放送に切り替えて映し出すこともその店舗での簡単な操作で行えることとなる。
【００６２】
このように様々な広告に利用でき、リアルタイムの映像は利用者の好みに応じて自由にして簡単に映像内容を切り替えでき、従来無理であったオンエアのテレビ放送で縦長ディスプレイ６に映し出し、ポスター広告として使用することも出来る。
【００６３】
このようにＤＶＤ，ＶＴＲ，カメラなどの入力部２を複数用意し、適宜入力切替操作できるようにし、夫々多数のＤＶＤやＶＴＲソフトを用意しておけば、バリエーションも無限大と言える。
【００６４】
また、パソコンによる作成や切替え表示によって他の広告情報も自由に設定表示でき、このパソコンによって、リアルタイムの画像を消したり、拡大・縮小・移動などもできるようにすることも容易であるため、様々な広告内容を様々なリアルタイム映像と組み合わせ、様々な広告看板（ポスター広告）を設定場所や時間、利用客のニーズに応じて自在に変更できることとなる。
【００６５】
【発明の効果】
本発明は上述のように構成したから、大型・薄型にして鮮明に映像を映し出す横長のプラズマディスプレイを縦に向きに変えて設置することで、縦長ディスプレイを容易に実現し、縦長ディスプレイに映像装置から映像信号をリアルタイムで９０度画像回転処理して出力し、これを前記縦長ディスプレイにリアルタイムで表示することで、横長画面（横長ディスプレイ）ではどうしても実現することができない広告効果、即ち、縦長表示によるポスター広告効果による絶大な注目効果を発揮する広告表示を容易に実現でき、しかも、リアルタイムで様々な映像装置からの映像信号を、他の画像データや文字データ等と組み合わせて横長なものを縦にした縦長ディスプレイに表示できるために、リアルタイムで様々な映像を縦長ディスプレイにポスター広告として表示し、ポスター広告による絶大な広告効果を期待できることとなる極めて画期的で実用的な表示装置を用いた広告方法並びにその表示装置を提供できることとなる。
【図面の簡単な説明】
【図１】本実施例の（アナログ合成の場合の）概略説明ブロック図である。
【図２】本実施例の（デジタル合成の場合の）概略説明ブロック図である。
【図３】本実施例の使用状態を示す説明斜視図である。
【図４】本実施例の使用状態を示す縦長ディスプレイの説明正面図である。
【符号の説明】
１　映像装置
２　入力部
３　走査方式変換部
４　画像回転処理部
５　出力部
６　縦長ディスプレイ
７　量子化部
８　アナログ信号化部
９　画像合成部